(57)【特許請求の範囲】
【請求項１】
地盤に設けた基礎、該基礎から一体的に立ち上げた湾曲状又は多角形状の側壁及び該側壁部の上縁部間を屋根となるように形成した上面とからなる石油貯蔵タンク等の地上構築物として構築した貯蔵施設において、強度のある紐体を網状体としたものを該上面を覆って設け、該紐体の端部を側壁部側へバランスよく延出し、その各々の紐体端部を該側壁部の上縁部より地盤へ向けて垂下し、該紐体の垂下先端部を、該貯蔵施設を囲むように地上に設けた該貯蔵施設とは別体のコンクリートよりなる重量物又は該貯蔵施設を囲むように地上に設けた重量のある他の構築物と直接連結し、上記基礎の支持力、該基礎や該貯蔵施設の重量及び該基礎と該貯蔵施設とを一体化したことによる強度に加え、上記上面に設けた紐体の垂下先端部を別体の重量物又は重量のある他の構築物と連結した引張牽引力により強度増加を図り、津波や浸水から貯蔵施設の浮き上がりを防止したことを特徴とする石油貯蔵タンク等の貯蔵施設の浮力抑止構造。
【請求項２】
地盤に設けた基礎、該基礎から一体的に立ち上げた湾曲状又は多角形状の側壁及び該側壁部の上縁部間を屋根となるように形成した上面とからなる石油貯蔵タンク等の地上構築物として構築した貯蔵施設において、強度のある紐体を該上面の中心位置より該側壁部へ向けて放射状に設け、該紐体の端部を側壁部側へバランスよく延出し、その各々の紐体端部を該側壁部の上縁部より地盤へ向けて垂下し、該紐体の垂下先端部を、該貯蔵施設を囲むように地上に設けた該貯蔵施設とは別体のコンクリートよりなる重量物又は該貯蔵施設を囲むように地上に設けた重量のある他の構築物と直接連結し、上記基礎の支持力、該基礎や該貯蔵施設の重量及び該基礎と該貯蔵施設とを一体化したことによる強度に加え、上記上面に設けた紐体の垂下先端部を別体の重量物又は重量のある他の構築物と連結した引張牽引力により強度増加を図り、津波や浸水から貯蔵施設の浮き上がりを防止したことを特徴とする石油貯蔵タンク等の貯蔵施設の浮力抑止構造。
【請求項３】
地盤に設けた基礎、該基礎から一体的に立ち上げた湾曲状又は多角形状の側壁及び該側壁部の上縁部間を屋根となるように形成した上面とからなる石油貯蔵タンク等の地上構築物として構築した貯蔵施設において、強度のある紐体を該上面において別体の紐体で円形や多角形体の輪に形成したものより又は別体の板体・棒状体・立体物で上面支持体に形成したものより側壁部へ向けて放射状に設け、該紐体の端部を側壁部側へバランスよく延出し、その各々の紐体端部を該側壁部の上縁部より地盤へ向けて垂下し、該紐体の垂下先端部を、該貯蔵施設を囲むように地上に設けた該貯蔵施設とは別体のコンクリートよりなる重量物又は該貯蔵施設を囲むように地上に設けた重量のある他の構築物と直接連結し、上記基礎の支持力、該基礎や該貯蔵施設の重量及び該基礎と該貯蔵施設とを一体化したことによる強度に加え、上記上面に設けた紐体の垂下先端部を別体の重量物又は重量のある他の構築物と連結した引張牽引力により強度増加を図り、津波や浸水から貯蔵施設の浮き上がりを防止したことを特徴とする石油貯蔵タンク等の貯蔵施設の浮力抑止構造。
【請求項４】
紐体は、鋼線、鋼棒、合成繊維・細鋼線等を束ねたロープ、チェーン又はそれらのいくつかの線状若しくは棒状のものを組み合わせたもののいずれかよりなることを特徴とする請求項１乃至３のいずれか記載の石油貯蔵タンク等の貯蔵施設の浮力抑止構造。
【請求項５】
コンクリートよりなる重量物は、コンクリートブック、コンクリート塊、現場打ちコンクリート塊、コンクリートよりなる瓦礫を入れた容器のいずれかとし、地上に設けた重量のある他の構築物は、貯蔵施設を取り囲む全体を連続状態とした高さのある多角形体又は曲面を有するコンクリート部材よりなる防潮堤を兼ねた構築物としたことを特徴とする請求項１乃至４のいずれか記載の石油貯蔵タンク等の貯蔵施設の浮力抑止構造。
【発明の詳細な説明】
【技術分野】
【０００１】
本発明は、石油コンビナートや石油備蓄タンク施設等に設けられている石油貯蔵タンク或いは石油関係に限らず他の様々な物質を貯蔵することのできる機能と構造を有する貯蔵施設（以下、石油貯蔵タンク等の貯蔵施設という）が津波や浸水等により浮力を受けた場合、それら貯蔵施設に生じる浮力を抑止し、損壊を防止するものである。
【背景技術】
【０００２】
従来より、石油貯蔵タンク等の貯蔵施設において、地震力や風力或いは津波の押し寄せる力により水平方向に移動させようとする力等の外力に対して、当該貯蔵施設が傾いたり破損したり横方向へ移動したりすることのないように、基礎の強化及び当該基礎と上層構築物となる貯蔵施設との強固な一体化或いは貯蔵施設の材料自身の強化等を目的とした技術は見受けられる。しかし、当該貯蔵施設自身に津波や浸水等により浮力が生じた場合、該貯蔵施設には下方部より上方部に向けて大きな力が作用し、上記した従来の地震力や風力等が該貯蔵施設に作用する力の方向とは異なることになり、それに対応することを主目的とする技術はなかった。作用する浮力の方向が上記した力の作用する方向とは異なっても、基礎構造や基礎構造と貯蔵施設との接合構造等に安全性を考慮して施工が行われており、ある程度の浮力には耐えることが可能で、従来の貯蔵施設においても比較的小さな浮力に対する抑止機能は有していた。
【０００３】
しかし、今回発生した東日本大震災の津波や浸水等のように貯蔵施設に対して極めて大きな浮力が作用した場合、該貯蔵施設に対して下部から上部方向に向けて大きな引き抜き力が作用することになり、従来の地震力や風力又は横移動等に対抗するための構造で得られている抑止手段では対応できず限界を超え、他の強度増加手段を講じる必要が生じることになった。
【０００４】
従来より施工されている基礎構造は、貯蔵施設となる上部構築物が地震力や風力等の力を受けた場合に対応する手段として、該基礎とそれを支える地盤とが一体となるように多くの杭を何本も打ち込んだり、基礎を大きくして強度や重量を得たり、基礎から地盤にかけてアンカーを多数本打ち込んだり或いは地盤そのものを強化してその地盤と基礎とを一体化したりする技術等を採用している。それらは、上部構造に作用する横方向や上方向からの力を該基礎や該貯蔵施設で受け止めることを主目的としているものであり、それらの構造はある程度の浮力に対しては有効に作用するものであっても、下部方向から上部方向に向けて大きな浮力が作用した場合には、それらの構造だけでは対抗することは困難であった。
【０００５】
また、横方向の力が作用することを考慮し、貯蔵施設となる上部構造と基礎との一体化を強化し、両者の接合部をより強固な剛構造とすることで一体化された重量のある構築物とし、結果として、ある程度の浮力には耐える構築物とすることは可能であるが、そのことは必要以上に費用がかかり、且つ上記同様、大きな浮力に対抗することはできなかった。
【０００６】
また、下記の特許文献１のように、地下水による浮力で貯蔵施設が浮き上がることを防止する技術として、地下にコンクリート製のタンクを構築し、その上部にパネル製の地上タンクを装備することで、タンク本体の重量を増加し、地下水の浮力による浮き上がりを防止する技術が開示されている。
【０００７】
また、特許文献２のように、内槽の側板と外槽の底板下面側に埋設したＰＣアンカー間とをＰＣ鋼線により連結し、地震時における上下動で該内槽が浮き上がることを防止する技術が開示されている。
【０００８】
特許文献１の浮力に対抗する構造にあっては、貯蔵施設の構築時に重量のあるコンクリート基礎を該貯蔵施設の下部に設ける必要があり、施工費用がかかり、且つ既存の貯蔵施設には対応することのできない技術であった。
【０００９】
また、特許文献２の浮力に対抗する技術にあっては、内槽のタンクの浮き上がりを防止するもので、外槽自体に浮力が生じた場合に対応できる技術ではなく、また、その技術内容も貯蔵施設全体に生じる浮力について対抗することについては記載も示唆もないものであった。
【先行技術文献】
【特許文献】
【００１０】
【特許文献１】特開２００２−５９９９４号公報
【特許文献２】特開２００９−２５０２９１号公報
【発明の概要】
【発明が解決しようとする課題】
【００１１】
本発明は、上記地盤や基礎を強化したり、該基礎と上部構造となる貯蔵施設との一体化を強化することが浮力に対して有効であることを考慮し、それらの技術に加え、貯蔵施設等の上方部から該貯蔵施設を押さえ込むことにより浮力を防止する技術で、この技術を採用することにより、新築時はもちろんのこと、既存の貯蔵施設にもすばやく対応することのできる石油貯蔵タンク等の貯蔵施設の浮力抑止構造に関するものである。
【課題を解決するための手段】
【００１２】
本発明は、地盤に設けた基礎、該基礎から一体的に立ち上げた湾曲状或いは多角形状の側壁部及び該側壁部の上縁部間を屋根となるように形成した上面とからなる石油貯蔵タンク等の地上構築物として構築された貯蔵施設において、強度のある紐体を網状体としたものを該上面の全部或いは一部を覆って設け、又は強度のある紐体を該上面の中心位置より該側壁部へ向けて放射状に設け、又は強度のある紐体を該上面において別体の紐体で円形や多角形体の輪に形成したものより若しくは別体の板体・棒状体・立体物で上面支持体に形成したものより側壁部へ向けて放射状に設け、該上面で網状体とした紐体端部及び放射状とした紐体端部のいずれの紐体も側壁部側へバランスよく延出させ、その各々の紐体端部を該側壁部の上縁部より地盤へ向けて垂下させ、該紐体の垂下先端部を、該貯蔵施設を囲むように地上に設けた該貯蔵施設とは別体のコンクリートよりなる重量物或いは該貯蔵施設を囲むように地上に設けた重量のある他の構築物と直接連結し、上記基礎の支持力、該基礎や該貯蔵施設の重量及び該基礎と該貯蔵施設とを一体化したことによる強度に加え、上記上面に設けた紐体の垂下先端部を別体の重量物或いは重量のある他の構築物と連結した引張牽引力により強度増加を図り、津波や浸水から貯蔵施設の浮き上がりを防止した石油貯蔵タンク等の貯蔵施設の浮力抑止構造を特徴とする。
【００１９】
また、上記紐体は、鋼線、鋼棒、合成繊維・細鋼線等を束ねたロープ、チェーン、又はそれらのいくつかの線状若しくは棒状のものを組み合わせたものよりなる石油貯蔵タンク等の貯蔵施設の浮力抑止構造を特徴とする。
【００２１】
更に、上記コンクリートよりなる重量物は、コンクリートブック、コンクリート塊、現場打ちコンクリート塊、コンクリートよりなる瓦礫を入れた容器とした石油貯蔵タンク等の貯蔵施設の浮力抑止構造を特徴とする。
【００２４】
また、上記地上に設けた重量のある他の構築物は、貯蔵施設を取り囲む全体を連続状態とした高さのある多角形体或いは曲面を有するコンクリート部材よりなる構築物とし、防潮堤を兼ねた石油貯蔵タンク等の貯蔵施設の浮力抑止構造を特徴とする。
【発明の効果】
【００２７】
本発明の石油貯蔵タンク等の貯蔵施設の浮力抑止構造は、該貯蔵施設の上面を紐体又は網体によりその全体或いは一部を覆い、その紐体又は網体の先端の紐体を側壁部の下方側へ向けて垂下させ、その最先端側を重量物との連結及び／又は地盤や地盤に設けられた構築物又は杭やアンカー等又はそれらと同等の機能を持つ固定手段との連結により牽引し、津波や浸水等により生じた貯蔵施設に対する浮力に抵抗することが可能となった。
【００２８】
また、本発明の石油貯蔵タンク等の貯蔵施設の浮力抑止構造は、既存の貯蔵施設にも採用することができ、施工も比較的容易であり、沿岸部に多数設置されている石油貯蔵タンク等の貯蔵施設にすばやく対応することが可能となった。
【００２９】
更に、貯蔵施設に生じる浮力に抵抗するための重量物として安価なコンクリートや流体物、固形物等の様々な手段を採用でき、また、構築物の固定手段として従来より採用されている摩擦杭、現場打ち杭、ＰＣ杭、アンカー等又はそれらと同等の機能を持つ固定手段並びに防潮堤のような該貯蔵施設の損壊防止手段等を併用採用することにより、一層強固な固定手段が得られ、津波や浸水等により該貯蔵施設生じる浮力に抵抗することが可能となった。
【図面の簡単な説明】
【００３０】
【図１】本発明の石油貯蔵タンク等の貯蔵施設の浮力抑止構造の一実施例の概略斜視図。
【図２】（ａ）同他の実施例の概略斜視図、（ｂ）乃至（ｆ）同他の実施例の上面支持体の概略斜視図。
【図３】本発明の石油貯蔵タンク等の貯蔵施設の浮力抑止構造の参考例を示す概略斜視図。
【図４】（ａ）本発明の他の実施例の概略斜視図、（ｂ）同他の実施例の概略側断面図。
【図５】（ａ）同他の実施例の概略斜視図、（ｂ）同他の実施例の概略側断面図、（ｃ）同他の実施例の防潮堤の斜視図。
【図６】本発明の石油貯蔵タンク等の貯蔵施設の浮力抑止構造の他の参考例を示す概略斜視図。
【発明を実施するための形態】
【００３１】
以下に示す各実施例は、本発明の石油貯蔵タンク等の貯蔵施設の浮力抑止構造の一実施例を示すもので、産油地帯からタンカー等により運ばれた石油等を貯蔵するために、海岸に近接した沿岸部に、タンク、貯蔵容器、備蓄容器等として構築される構築物或いは他の様々な物質を貯蔵することのできる機能と構造を有する構築物で、形状としては筒状の構築物が一般的なものであるが、上面側が曲面状やその他の形状又は全体の形状が下記する実施例のような円筒形の筒状体に限定されるものではなく四角形や多角形を含むあらゆる形状（以下、それらを含め筒状体という）のものでも対応することが可能である。
【００３２】
当該構築物は、基礎上に上部構造としての貯蔵施設（以下、基礎との区別及び半地下状の貯蔵施設等も含め、便宜上、貯蔵施設という）の筒状体を該基礎と一体となるように構築するが、当該構築物は、通常の構築物同様、積雪荷重や地震力、風力等を考慮して構築され、今回の東日本大震災のような津波によって生じる浮力について抵抗する手段は、十分に考慮されていなかった。
【００３３】
この大震災では石油貯蔵タンク等の貯蔵施設が津波により損傷或いは倒壊し、甚大な被害を発生させ、また、そのことにより流出した石油類で大規模火災という二次災害も発生した。そこで、本発明は、津波や浸水により貯蔵施設に生じる浮力を抑止し、当該構築物が損傷或いは倒壊されることを防止する技術で、その実施例のいくつかを以下に示す。
【実施例１】
【００３４】
図１は、本発明の石油貯蔵タンク等の貯蔵施設の浮力抑止構造の一実施例を示すもので、筒状体１は、上部の外周面となる天井面を形成する上面２と下方構築物の基礎３、該基礎３から立ち上がった湾曲状の側壁部４とから構成され、鋼板等の強度のある適宜材料によって構築されている。その内側を石油等を貯蔵する施設としている。
【００３５】
上記上面２には、鋼線、鋼棒、合成繊維・細鋼線等を束ねたロープ、チェーン等の線状又は棒状の大きな引張力に対抗することのできる強度のある紐体５等を、その中央部や外方部に形成した円形体又は多角形体となるリング状となる輪５ａを形成し、該輪５ａと側壁上端縁部６側へ延出してクモの巣状となるように放射状に外方へ延出した紐体５ｂとを連結し、上面２全体或いはほぼ全体に紐体５を張りめぐらせている。
【００３６】
該紐体５は、該側壁部４の上端部の位置まで延出し、その側壁上端縁部６から該側壁部４側へ垂下させ、該側壁部４の下方側へ延出した紐体５ｃ、その先端は、地盤に打ち込んだＰＣ杭や場所打ち杭７、アンカー８等と連結され、該紐体５（５ａ、５ｂ、５ｃ）を引張牽引させている。
【００３７】
また、牽引手段として適数個のコンクリートブロックを積層した積層体９や、コンクリート塊１０等の重量物と該紐体５とを連結することにより牽引手段とすることができる。
【００３８】
また、地盤に打設したコンクリート１１の上面部と該紐体５とを連結することにより引張牽引手段とすることができる。それらとの連結は、図示するリング状体の係止手段やフック状のもの等他の様々な係止手段を上にして埋設した金具等の該係止手段に該紐体５を結び付ける等により行うことができる。更に、垂下した紐体５は、そのまま垂直状に垂下させてもよいし、コンクリート塊１０との連結に示したように、該紐体５を分岐部１２において二股或いは適宜本数に分岐した分岐紐体１３、…とし、バランスよくコンクリート塊１０を支持できるようにすることができる。
【００３９】
紐体５の引張牽引手段としての重量物は、上記で示した以外に、水・土砂・瓦礫等の流状体や固形物を容器等に収納したもの等の適宜手段が採用され、重量物として該紐体５を引張牽引できる重さが得られるものであれば特に限定されるものではない。
【００４０】
また、垂下させた紐体５は、その下方部側を該側壁部４の側壁面より離すことにより、該重量物、地盤、地盤に設けられた構築物、杭やアンカー等又はそれらと同等の機能を持つ固定手段との連結が容易となるし、該側壁部４との接触により紐体５が磨耗や切断されることがなく、且つ構造的に安定した引張牽引手段とすることができる。
【実施例２】
【００４１】
図２（ａ）乃至（ｄ）は、本発明の石油貯蔵タンク等の貯蔵施設の浮力抑止構造の他の実施例を示すもので、貯蔵施設となる筒状体１４の上面１５の上面中心部となる交点位置より紐体１６を放射状に広げ、該上面１５にバランスよく外方の側壁部１７側へ該紐体１６を延出させ、該側壁部１７の上端部となる側壁上端縁部１８から該側壁部１７側へ垂下させ、該側壁部１７の下方側へ延出し、その先端は、実施例１と同様、各種杭やアンカー、コンクリートブロック等の積層体、コンクリート塊、打設コンクリートや各種流状体や固形物を収納した容器等の重量物又は地盤や地盤に設けられた構築物、杭やアンカー等又はそれらと同等の機能を持つ固定手段により該紐体１６を引張牽引している。
【００４２】
紐体１６を引張牽引する手段としては、該紐体１６を筒状体１４の中心位置又はそれに近接した位置を通過するようにして該筒状体１４の対向位置間に延設し、その各々の先端側に重量物や固定手段等を設けることにより、両者で引張牽引することも可能である。
【００４３】
また、図２（ｂ）、（ｃ）、（ｄ）、（ｅ）、（ｆ）の一例に示すように、紐体１６を支持する上面に円形や多角形又は長尺の板体又は棒状体や円柱、多面体、円錐体、多角錐体等の立体等の上面支持体１９を配置し、それらの上面支持体１９に適数本の該紐体１６を配置し、それらを分岐基点として引張牽引させることもできる。図２（ｂ）は、円形状の１つの上面支持体１９より複数本の紐体１６を分岐させている図を示し、同図（ｃ）、（ｄ）は、２つの円形状の上面支持体１９より複数本の紐体１６を分岐させている図を示し、同図（ｅ）は、長尺の上面支持体１９より複数本の紐体１６を分岐させている図を示し、同図（ｆ）は、中心部を避けた位置に複数の上面支持体１９より複数の紐体１６を分岐させている図を示している。上記紐体１６は、図においては複数本としているが、場合によっては１本の紐体１６でもよい。
【００４４】
上記紐体１６は、実施例１と同様、重量物又は地盤や地盤に設けられた構築物、杭やアンカー等又はそれらと同等の機能を持つ固定手段に応じて分岐部を設けて適切な本数を分岐させて連結することができる。また、図２に示すように、側壁上端縁部１８に位置する紐体１６から隣接する垂下した紐体１６の下端部とを直接連結する斜め方向の補強紐体とすることができ、また、交差配置することもでき、それらにより支持構造を強化することができる。  
【実施例３】
【００４５】
本発明の他の実施例として、石油貯蔵タンク等の貯蔵施設の浮力抑止構造において、貯蔵施設となる筒状体２０の上面２１に縦方向の紐体２２と横方向の紐体２３により格子状に組んだ網状体を形成し、該上面２１全体を被覆し、その側壁部２４の上端部となる側壁上端縁部２５から該側壁部２４側へ垂下させることができる。上記紐体２２、２３は、縦・横方向に限らず、斜め方向或いは２方向に限定されることなく複数方向等の適宜様々な方向が考えられる。上記紐体２２、２３は、該側壁部２４の下方側へ延出し、その先端は、上記実施例１、２と同様、各種杭やアンカー、コンクリートブロックの積層体、コンクリート塊、打設コンクリートや各種流状体や固形物を収納した容器等の重量物又は地盤や地盤に設けられた構築物、杭やアンカー等又はそれらと同等の機能を持つ固定手段により該紐体２２、２３を引張牽引している。
【００４６】
上記該紐体２２、２３は、上記実施例１、２と同様、重量物又は地盤や地盤に設けられた構築物、杭やアンカー等又はそれらと同等の機能を持つ固定手段に応じて分岐部を設けて分岐させてそれらを連結することができるし、図２に示すように、側壁上端縁部２５での紐体２２、２３と隣接する位置で垂下した紐体２２、２３の下端部とを連結する斜め方向の補強紐体とすることができるし、図３に示す本発明の参考例のように、側壁部２４の上方部に該側壁部２４周囲に沿ってリング状に囲んだリング状支持体２６を設け、該リング状支持体２６より下方側へ垂下した紐体２７とを連結し、それにより引張牽引し、その下端側は、実施例１、２と同様、重量物との固定又は地盤や地盤に設けられた構築物、杭やアンカー等又はそれらと同等の機能を持つ固定手段により該紐体２７を引張牽引することができる。
【実施例４】
【００４７】
図４（ａ）、（ｂ）は、本発明の石油貯蔵タンク等の貯蔵施設の浮力抑止構造の他の実施例を示すもので、貯蔵施設となる筒状体２８の上面２９に三角形状、菱型形状又は様々な形状となる多角形状等に組んで形成した紐体３０により網状体とし、該上面２９全体を被覆し、側壁部３１側へ延出した紐体３０を該側壁部３１の上端部となる側壁上端縁部３２から該側壁部３１側へ垂下し、該側壁部３１の下方側へ延出し、その先端は、上記実施例１乃至３と同様、コンクリートブロックの積層体、コンクリート塊、打設コンクリートや各種流状体や固形物を収納した容器等の重量物又は地盤や地盤に設けられた構築物、杭やアンカー等又はそれらと同等の機能を持つ固定手段により該紐体３０を引張牽引させている。
【００４８】
該紐体３０は、実施例１乃至３と同様、重量物又は地盤や地盤に設けられた構築物、杭やアンカー等又はそれらと同等の機能を持つ固定手段に応じて分岐部を設けて分岐させて連結することができるし、図２に示すように、側壁上端縁部２５での紐体３０と隣接する位置で垂下した紐体３０の下端部とを連結する斜め方向の補強紐体とすることができる。その下端側は、実施例１乃至３と同様、重量物との固定又は地盤や地盤に設けられた構築物、杭やアンカー等又はそれらと同等の機能を持つ固定手段により該紐体を引張牽引している。
【００４９】
また、筒状体２８の側壁部３１の壁面に沿って、側壁上端縁部３２及び側壁下端縁部３３に各々上下リング状補強材３４、３５を形成し、該上側リング状補強材３４と下側リング状補強材３５間に、該側壁部３１と一体化される補強縦部材３６を設けることにより該筒状体２８の補強手段としている。
【００５０】
該補強縦部材３６は、上下リング状補強材３４、３５がない状態で該筒状体２８と接合し、アンカー等と引張牽引することができる。また、補強部材としては、図に示した１本のものから複数本のものを束ねて設けたり又は隣接して設けたり、或いは連続状のもの又は断続状のものでもよいし、図面のような垂直方向の他、水平方向や千鳥状や斜め方向又はそれらの組み合わせ等、他の様々な部材やその組み合わせ等が考えられるが、いずれにしても該筒状体２８を補強するもので、それら補強部材と紐体とを連結することにより強固な浮力抑止手段とすることができる。
【００５１】
筒状体２８が浮力を受けた場合、その浮力を該筒状体２８、該筒状体２８と基礎との連結、そして牽引手段を設けた紐体３０等により支えることになるが、該筒状体２８の側壁部３１の強度不足が生じていることが有り、それにより該筒状体２８に変形や損傷が生じるおそれがある。それを防止するために、該側壁部３１に鋼材等の部材よりなるリング状補強材３４、３５及び補強縦部材、３６を該側壁部３１に一体と作用するように結合し、該補強材３４、３５、３６を紐体３０の下端に連結した重量物又は地震や地盤に設けられた構築物、杭やアンカー等又はそれらと同等の機能を持つ固定手段と図４（ｂ）に示すように別途紐体３７により連結することにより、該補強材３４、３５、３６と重量物又は地震や地盤に設けられた構築物、杭やアンカー等又はそれらと同等の機能を持つ固定手段とが一体化され、該筒状体２８の浮力に対抗できるようにしている。
【００５２】
上記補強材３４、３５、３６には、該側壁部３１をリング状に取り囲んだ何本かの水平方向部材や斜め方向部材或いはそれらを適宜組み合わせたもの等、様々な形態が考えられる。上記補強手段は、他の実施例にも採用できることは言うまでもない。
【実施例５】
【００５３】
図５（ａ）、（ｂ）は、本発明の石油貯蔵タンク等の貯蔵施設の浮力抑止構造の他の実施例を示す斜視図と概略断面図で、貯蔵施設となる筒状体３８の上面３９の周辺部に紐体４０で円形体又は多角形体の輪を形成し、該円形体とした紐体４０から側壁上端縁部４１にかけて延出する該上面３９の周辺部に帯状幅を有するリング状となるようにして紐体４２を延設して周辺部を被覆し、該側壁上端縁部４１から側壁部４３の下方側へ紐体４２を延出し、その先端は該側壁部４３の外方に沿って所定間隔を有して地盤より立ち上げて連続形成した円形状の布基礎の上端部と連結している。
【００５４】
この実施例５の円形状又は多角形体構造物は、防潮堤４４を兼ねることができる。該防潮堤４４は、貯蔵施設となる石油備蓄タンク施設等から流出した油等の液体が河川や海に拡散することを防止するための防油堤としての役割を有する他、貯蔵施設周囲の水位が上昇したときに該防潮堤４４によりその内側への水の浸入を防止することができ、該貯蔵施設に浮力が生じさせない役割を備えている。しかし、水位が該防潮堤４４の高さ以上に上昇した場合には、内側へ水が流入し、該貯蔵施設に浮力を生じさせることになり、この場合にあっても、紐体４２が引張牽引されているのでその浮力に対抗することができ、貯蔵施設等が浮き上がるのを抑制することができる。
【００５５】
しかし、上記実施例１乃至４、６とは異なり、津波や浸水等の初期の段階では浮力の抑止及び潮流による筒状体基礎の洗掘や貯蔵施設の損壊を防止するための極めて大きな役割を果たすことができる。該防潮堤４４は、筒状体３８の周囲を取り囲むことにより構築されるので、強度があり、大きな水圧に十分に対抗することができる。
【００５６】
従って、該防潮堤４４が損壊しない限り、水の筒状体３８側への浸入を防止することができる。仮に、水が該防潮堤４４の上方部より筒状体３８側へ浸水してきたとしても、その量は少なく水圧を大きく弱めることができ、筒状体３８の基礎部の洗掘や筒状体３８本体の損壊を防止することができる。また、万一該防潮堤４４の一部が損壊したとしても、水圧に対する抵抗をある程度保つことができ、筒状体３８の損壊を防止するのに極めて有効である。
【００５７】
上記防潮堤４４は、筒状体３８の周囲に構築することができるので、既存の貯蔵施設にも対応できるものである。紐体を使用することなく、該防潮堤４４の構築のみでも該貯蔵施設に生じる浮力の抑止及びその損壊を防止できるものである。
【実施例６】
【００５８】
図６は、本発明の石油貯蔵タンク等の貯蔵施設の浮力抑止構造の参考実施例を示すもので、貯蔵施設となる筒状体４５の上面４６に長尺且つ強度のある棒状体４７を載置し、その両端部の各々を側壁上端縁部４８から外方へ突出させて突出部４９とし、該突出部４９に強度のある紐体５０を固定し、該紐体５０を該突出部４９から側壁部５１の下方側へ垂下させ、該紐体５０の各々の先端部は重量物との連結及び／又は地盤や地盤に設けられた構築物、杭やアンカー等又はそれらと同等の機能を持つ固定手段との連結により該紐体５０を引張牽引し、該貯蔵施設等が浮き上がるのを防止する構造としている。
【００５９】
また、該紐体５０は、側壁部５１から離れた位置で垂下することができるが、垂直状に垂下させることもできるし、紐体５２のように棒状体４７の突出部４９から隣接する紐体５０の下端に向けて斜め方向となる傾斜状で垂下させ、横方向の力に対抗したり強度を増加させることができるようにしている。
【００６０】
上面４６に載置される該棒状体４７は、横方向或いは上下方向への移動防止と所定間隔を保つために該棒状体４７の直交方向に該棒状体４７相互を連結するための複数本のつなぎ部材５３を設けている。
【００６１】
また、該棒状体４７及び該つなぎ部材５３が横方向或いは上下方向の力により変形しないように該棒状体４７及び／又はつなぎ部材５３相互間に筋交部材５４を設けている。上記つなぎ部材５３や筋交部材５４は、強度のある棒状或いは編体を使用することができる。
【００６２】
なお、上記各々の実施例では、具体的な構成に基づいて説明したが、当該実施例のいずれかの構成を他の実施例の構成に採用して他の異なる実施例とすることができることは言うまでもない。
【符号の説明】
【００６３】
１、１４、２０、２８、３８、４５    貯蔵施設となる筒状体
２、１５、２１、２９、３９、４６    上面
３                                  基礎
４、１７、２４、３１、４３、５１    側壁部
５、１６、２２、２３、２７、３０、３７、４０、４２、５０、５２    紐体
６、１８、２５、３２、４１、４８    側壁上端縁部
７                                  ＰＣ杭や場所打ち杭
８                                  アンカー
９                                  コンクリートブロック積層体
１０                                コンクリート塊
１１                                打設コンクリート
１２                                分岐部
１３                                分岐紐体
１９                                上面支持体
２６                                リング状支持体
３３                                側壁下端縁部
３４                                上側リング状補強材
３５                                下側リング状補強材
３６                                補強縦部材
４４                                防潮堤
４７                                棒状体
４９                                突出部
５３                                つなぎ部材
５４                                筋交部材
【図１】
0005839678.tif 000002
【図２】
0005839678.tif 000003
【図３】
0005839678.tif 000004
【図４】
0005839678.tif 000005
【図５】
0005839678.tif 000006
【図６】
0005839678.tif 000007